(57)【要約】垂直に延在する部材を制御するアッセンブリは装置（２２）を含み、装置（２２）は、ローピング作業中にエレベータの荷重支持部材（３２）などの垂直に延在する部材の移動を制御する速度制御部材（３６）と停止部材（３４）とを有する。開示された実施例では、停止部材（３４）は停止位置に押し付けられており、その停止位置で垂直に延在する部材（３２）は、装置（２２）に対して移動できないようにブレーキパッド（６０）と案内部材（５４）との間でロックされる。停止位置から外れるように停止部材（３４）を移動させる実施例の入力部材は、停止部材（３４）の位置を制御するように操作可能なフットペダル（７０）を含む。入力部材の手動操作がなければ、停止部材（３４）は垂直に延在する部材（３２）の移動を防止する。開示された実施例では、速度制御部材（３６）は、パッド（８０）を含み、パッド（８０）は、装置（２２）の基部（４０）に対してパッド（８０）を移動させるハンドル（８４）の手動操作に応じて垂直に延在する部材（３２）と選択的に係合する。
2010504898.tif 000002
【特許請求の範囲】
【請求項１】
固定位置に取り付けられるように適合された基部と、
垂直に移動する部材に選択的に接触して、垂直に延在する部材が基部に対して移動する速度を制御するように、基部に対して移動可能な速度制御部材と、
押し付ける力に打ち勝つように作業者が加える入力がない場合に、垂直に延在する部材の基部に対する移動を防止する停止位置に押し付けられる停止部材と、
を備えることを特徴とする、垂直に延在する部材を制御するのに使用される装置。
【請求項２】
前記装置は、
停止部材と連係するレバーであって、停止部材を停止位置に移動させる方向に押し付けられるレバーと、
レバーと連係する入力部材であって、レバーを反対の方向に選択的に移動させる入力部材と、
を備えることを特徴とする請求項１記載の装置。
【請求項３】
入力部材はフットペダルを含むことを特徴とする請求項２記載の装置。
【請求項４】
前記装置は停止部材を停止位置に押し付けるばねを備えることを特徴とする請求項１記載の装置。
【請求項５】
前記装置は、基部に支持された案内部材であって、垂直に延在する部材を基部に対して移動するように案内する案内部材を備えており、垂直に延在する部材は、停止部材が停止位置にあるときに停止部材と案内部材との間でロックされることを特徴とする請求項１記載の装置。
【請求項６】
案内部材はプラスチック材料から成り、停止部材はブレーキ材料から成ることを特徴とする請求項５記載の装置。
【請求項７】
案内部材は少なくとも１つのローラを含むことを特徴とする請求項６記載の装置。
【請求項８】
案内部材または停止部材の少なくとも一方は、垂直に延在する部材の外面輪郭に対応した輪郭を有することを特徴とする請求項５記載の装置。
【請求項９】
前記装置は、
停止部材の位置を制御するように手動で移動可能な第１の入力部材と、
速度制御部材の位置を制御するように手動で移動可能な第２の入力部材と、
を備えることを特徴とする請求項１記載の装置。
【請求項１０】
第１の入力部材はフットペダルを含むことを特徴とする請求項９記載の装置。
【請求項１１】
第２の入力部材はハンドルを含むことを特徴とする請求項９記載の装置。
【請求項１２】
前記装置は、
速度制御部材の一側にある第１のハンドルマウントと、
速度制御部材の別の一側にある第２のハンドルマウントと、
を備えており、ハンドルは、第１のハンドルマウントまたは第２のハンドルマウントの一方に選択的に取り付けられることを特徴とする請求項１１記載の装置。
【請求項１３】
前記装置は基部を固定面に取り付ける取り付けクランプを備えることを特徴とする請求項１記載の装置。
【請求項１４】
取り付けクランプと基部とは協同してエレベータかごの枠部材に対する固定位置に基部を取り付けることを特徴とする請求項１３記載の装置。
【請求項１５】
速度制御部材は、垂直に延在する部材に接触するプラスチックパッドを含むことを特徴とする請求項１記載の装置。
【請求項１６】
垂直に延在する部材はエレベータの荷重支持部材を含むことを特徴とする請求項１記載の装置。
【請求項１７】
少なくとも１つのエレベータかご枠部材と、
枠部材に対する固定位置に取り付けられるように適合された基部と、
エレベータの荷重支持部材に選択的に接触して、荷重支持部材が基部に対して移動する速度を制御するように、基部に対して移動可能な速度制御部材と、
押し付ける力に打ち勝つように作業者が加える入力がない場合に、荷重支持部材の基部に対する移動を防止する停止位置に押し付けられる停止部材と、
を備えることを特徴とする、エレベータのローピング用アッセンブリ。
【請求項１８】
前記アッセンブリは、
停止部材と連係するレバーであって、停止部材を停止位置に配置する方向に押し付けられるレバーと、
レバーと連係する入力部材であって、レバーを反対の方向に選択的に移動させる入力部材と、
を備えることを特徴とする請求項１７記載のアッセンブリ。
【請求項１９】
入力部材はフットペダルを含むことを特徴とする請求項１８記載のアッセンブリ。
【請求項２０】
前記アッセンブリは、基部に支持された案内部材であって、荷重支持部材を基部に対して移動するように案内する案内部材を備えており、荷重支持部材は、停止部材が停止位置にあるときに停止部材と案内部材との間に配置されることを特徴とする請求項１７記載のアッセンブリ。
【請求項２１】
前記アッセンブリは、
停止部材と連係する第１の入力部材であって、作業者の足で操作されるように適合された第１の入力部材と、
速度制御部材と連係する第２の入力部材であって、作業者が第１の入力部材に少なくとも一方の足を乗せたときに作業者が手で移動させるように配置された第２の入力部材と、
を備えることを特徴とする請求項１７記載のアッセンブリ。
【発明の詳細な説明】
【技術分野】
【０００１】
本発明は一般にエレベータ装置で使用される部材などの垂直に延在する部材の制御に関する。
【背景技術】
【０００２】
エレベータ装置には一般に昇降路内でエレベータかごとつり合おもりを支持するローピング構成が含まれる。ローピング構成によってまた昇降路内で所望のようにエレベータかごを配置する能力が得られる。
【０００３】
エレベータ装置用のローピング構成の設置には課題が多い。設置作業者が直面する問題の一つは、ローピング（例えば、鋼製ロープ、ケーブル、ベルトなど）の重量によって、ローピングの一端が下方へと引かれ、他端が上方へと引かれやすいことである。かごの位置、つり合おもりの位置、および昇降路内での滑車に対するローピングの位置によって、設置作業者に最も近いローピングの部分は上下しがちである。いずれにせよ重要なのは、昇降路内でローピング位置の制御を維持することである。
【０００４】
エレベータ装置は一定期間の使用後、エレベータローピング構成の１つまたは複数の荷重支持部材を交換する必要がある。通常の技術では、エレベータ装置内の既存の荷重支持部材と新たな荷重支持部材とを一緒に撚り継ぎする。古い荷重支持部材を操作して、昇降路内で滑車に新しい荷重支持部材を引き回すのに使用する。このような操作中には、注意を怠らず、エレベータ装置の荷重支持部材の制御を維持することが重要である。
【０００５】
昇降路内で事実上自由落下するいわゆる暴走ロープによって、エレベータ装置の部材が損傷を受けることがあり、また、この暴走ロープは少なくとも設置作業者にとっては、落下したロープを集めて昇降路内で（例えば滑車などに）所望のように引き回しなおさなければならないので厄介である。
【０００６】
垂直に延在する細長い部材に対するこのような制御は、他の場合にも必要とされる。さまざまな状況で種々のローピング構成が使用される。多くの場合、細長い部材の適切な制御を維持する必要がある同一または類似の問題が生じる。
【発明の概要】
【発明が解決しようとする課題】
【０００７】
作業者がローピング作業中にロープ、鎖、荷重支持部材などの垂直に延在する部材の制御を維持するのを補助する装置が必要とされている。本発明はこの必要に対処するものである。
【課題を解決するための手段】
【０００８】
垂直に延在する部材を制御するのに有用な実施例の装置は、固定位置に取り付けられるように適合された基部を有する。垂直に延在する部材に選択的に接触して、垂直に延在する部材が基部に対して移動する速度を制御するように、速度制御部材が基部に対して移動可能である。垂直に延在する部材の基部に対する移動を防止する停止位置に停止部材が押し付けられる。押し付ける力に打ち勝つのに十分な入力を作業者が加えると、停止部材は、垂直に延在する部材の基部に対する移動を可能にさせることになる。
【０００９】
一実施例では、停止部材は、垂直に延在する部材の基部に対する移動を可能とするように作業者が操作できるフットペダルと連係する。作業者が（不注意にあるいは意図的に）フットペダルから力を抜くときはかならず、停止部材は自動的に停止位置に移動し、垂直に延在する部材の基部に対する移動を防止する。
【００１０】
一実施例では、速度制御部材は、作業者が手動で移動可能なハンドルと連係する。ハンドルの適切な操作によって、垂直に延在する部材に対する停止部材の移動が可能となる。一実施例では、ハンドルの手動操作によって垂直に延在する部材に加えられる力が増加すると、それに対応して、垂直に延在する部材が基部に対して移動する速度が減少する。
【００１１】
開示された実施例は、エレベータかごの頂部の所望の位置に取り付けるのに特によく適合し、それによって、作業者は、エレベータかごの頂部にいて、荷重支持部材の移動に対して所望の制御量を維持しながら、エレベータのローピングを行うことができる。
【００１２】
本発明のさまざまな特徴および利点は、当業者には以下の詳細な説明から明らかとなるであろう。詳細な説明に付随する図面は以下のように簡単に説明される。
【図面の簡単な説明】
【００１３】
【図１】本発明の実施例により設計された、例えばエレベータのローピングに有用なアッセンブリの概略図。
【図２】一実施例の斜視図。
【図３】図２の実施例の断面図。
【図４】別の実施例の断面図。
【発明を実施するための形態】
【００１４】
開示された実施例のアッセンブリによって、例えばローピング作業中に作業者には垂直に延在する部材の移動の制御を維持するのが可能となる。開示された実施例には、ローピング作業の制御を向上させる速度制御機構および停止機構が含まれる。本発明により設計された装置を用いてさまざまな種類の垂直に延在する細長い部材を制御可能である。エレベータの荷重支持部材と、エレベータローピング作業とは、開示された実施例を使用する一例と考えられる。
【００１５】
図１はエレベータかご２４の所望の位置に取り付けられた装置２２を含むアッセンブリ２０を概略的に例示する。一実施例では、装置２２は、エレベータかご２４の選択された枠部材に対する固定位置に取り付けられる。装置２２によって作業者はローピング作業中に装置２２に対する、この実施例では荷重支持部材３２（例えばロープまたはベルト）である垂直に延在する部材の移動を制御できる。
【００１６】
例示された実施例の装置２２は停止部材３４を含み、この停止部材３４はそれが係合する荷重支持部材３２の一部の移動を防止するように機能する。一実施例では、停止部材３４は常に停止位置に押し付けられており、その停止位置で荷重支持部材３２の一部と係合して装置２２に対する荷重支持部材３２の移動を防止する。押し付ける力に打ち勝つ機械的な入力がなければ、停止部材３４は停止位置に留まる。例示的な実施例では、作業者３０が、装置２２の適切な部分を踏むことによって機械的な入力を加え（例えば力を加え）て、停止位置から外れるように停止部材３４を操作する。作業者３０が意図的にあるいは不注意に停止部材３４から踏み付ける力を抜くときはいつでも、停止部材３４は自動的に停止位置に移動し、荷重支持部材３２の装置２２に対する移動を防止する。このように停止部材３４は、暴走する荷重支持部材３２が制御されずかつ望ましくない仕方で昇降路内を移動するのを防止するのに有効である。
【００１７】
例示された実施例の装置２２はまた、荷重支持部材３２が装置２２に対して移動する速度を制御するのに有用な速度制御部材３６を含む。例示された実施例では、作業者３０が速度制御部材３６を手動で操作して所望の速度制御量を達成できる。この実施例では、速度制御部材３６は手で制御可能であり、停止部材３４は足で制御される。実施例の速度制御部材３６と停止部材３４との組み合わせによって、エレベータローピング作業中に荷重支持部材３０の制御が向上する。
【００１８】
図２、図３は、別の実施例の装置２２を示す。この実施例には、固定位置に取り付けられるように適合された基部４０が含まれる。この実施例では、基部４０は締め付け部材４２によって構造部材４４に取り付けられる。一実施例では、構造部材４４はエレベータかご枠のクロスヘッドビームである。別の実施例では、構造部材４４は例えばガイドレールまたは昇降路ドア枠部材とすることができる。
【００１９】
実施例の基部４０は開口部５０を含み、荷重支持部材３２はローピング作業中に操作される際にこの開口部５０を通って移動する。ローピング作業中に不要な物体が開口部５０に進入するのを防止するようにガード５２が配置される。この実施例には、荷重支持部材３２が基部４０に対して移動する際に荷重支持部材３２を案内する案内部材５４が含まれる。この実施例では、案内部材５４は、荷重支持部材３２と案内部材５４とが接触するときに荷重支持部材３２の動きに応じて動く複数のローラを含む。
【００２０】
この実施例の停止部材３４は、停止部材３４が停止位置にあるときに荷重支持部材３２の外面と直接係合するように配置されたブレーキパッド６０を含む。図３では、停止部材３４は停止位置から外れており、荷重支持部材３２は基部４０に対して移動可能である。一実施例では、ブレーキパッド６０は、昇降路内の所望の位置にエレベータかごを停止させるのに使用されるブレーキなどの他のエレベータ用途に使用されるブレーキ材料から成る。
【００２１】
例示された実施例では、ブレーキパッド６０は、基部４０の位置６４に軸中心に回転するように取り付けられたレバー６２に支持される。図３の実施例では、停止部材３０が停止位置にあるときにブレーキパッド６０を荷重支持部材３２と係合するように押しやる方向（図面では上方）にばね６６がレバー６２を押し付ける。図３の実施例では、荷重支持部材３２は、停止部材３４が停止位置にあるときにブレーキパッド６０と案内部材５４との間でロックされる。一実施例では、案内部材５４は、荷重支持部材３２の外面の摩耗を防止するように選択されたプラスチック材料から成る。
【００２２】
一実施例では、ブレーキパッド６０、案内部材５４のいずれか一方あるいは両方が荷重支持部材３２の外面に対応した輪郭を有する。例えば、荷重支持部材３２が円形のロープの場合、ブレーキパッド６０、案内部材５４の少なくとも一方は、荷重支持部材３２の凸状外面に対応した凹状輪郭を有する。荷重支持部材３２が平ベルトから成る場合、案内部材５４は、荷重支持部材３２の平らな外面と平らな係合をする一定の外形寸法を有する略円筒形で、ブレーキパッド６０は略平面状が好ましい。
【００２３】
図２に示すように、停止部材３４は、ばね６６の押し付ける力に打ち勝つ機械的な入力を加えて停止位置から外れるように停止部材３４を移動させるのに有用な関連する入力部材を有する。この実施例では、入力部材はクランプ７４を用いてレバー６２に取り付けられたケーブル７２とフットペダル７０とを含む。この実施例では、フットペダル７０の一方の端部７６は床やエレベータかごの頂部などの静止面に置くことができる。この支持面から離れるようにフットペダル７０の反対の端部７８はケーブル７２によって吊り下げられる。これによって、作業者がフットペダル７０を踏んで力を加えて、端部７８を支持面の方へ（例えばエレベータかごの頂部に向かって下方へ）と押しやることが可能となる。フットペダル７０に十分な力が加えられると、ばね６６の押し付ける力が打ち負かされて、停止位置から外れるように停止部材３４が移動する。フットペダル７０に加えられる力が適切であれば、ローピング作業中に荷重支持部材３２は基部４０に対して自由に移動する。
【００２４】
作業者が意図的にあるいは不注意にフットペダル７０から力を抜くと、停止部材３４は自動的に停止位置に移動し、荷重支持部材３２の基部４０に対する移動が防止される。このような構成によって、ローピング作業を行う作業者が荷重支持部材３２の適切な制御を維持して例えば昇降路内の暴走荷重支持部材を防止することが保証される。
【００２５】
例示された実施例の速度制御部材３６は、荷重支持部材３２と選択的に係合するパッド８０を含む。一実施例では、パッド８０はローピング作業中に荷重支持部材３２の外面の望ましくない摩耗を防止するように比較的硬いプラスチック材料から成る。一実施例ではＵＨＭＷポリエチレンが使用される。例示された実施例では、パッド８０は基部４０に対して移動するよう軸中心に回転するように支持された取り付け部材８２に支持される。
【００２６】
例示された実施例には、入力部材が含まれており、この入力部材は、速度制御部材３６の位置を選択的に制御するように操作可能であり、それによって、荷重支持部材３２が基部４０に対して移動する速度が選択的に制御可能となる。例示された実施例には、荷重支持部材３２の移動速度を選択的に制御するように手で移動できるハンドル８４が含まれる。図から理解されるように、ハンドル８４が（図によれば）概略時計方向に操作されると、パッド８０が荷重支持部材３２と係合するように移動して、荷重支持部材３２が例えば案内部材５４に対して撓むようになる。撓み量が大きくなると、それに対応して、部分的に荷重支持部材３２とパッド８０との間の摩擦が増加するので移動速度が低下する。
【００２７】
例示された実施例では、取り付け部材８２は、一側に第１のレバーマウント８６と、別の一側に第２のレバーマウント８８とを含む。この実施例では、レバー８４は、右利きまたは左利き操作用にレバーマウント８６、８８の一方に選択的に配置可能である。
【００２８】
図２、図３の実施例の１つの特徴は、この実施例を別の設置構成用の別の配置に容易に変換できることである。
【００２９】
図４に示すように、基部４０は、図３に示されるような構造部材４４の下側に代えて構造部材４４の頂部に取り付け可能である。さらにレバー６２に対するばね６６の配置は、このような基部４０の向きの変更に適合するように変更可能である。図３の実施例では、ばね６６は一端がナット６８に作用しており、別の一端がレバー６４に作用している。ばね６６はレバー６４を（図によれば）上方へと押しやって停止部材３４を停止位置に押しやるように伸びる傾向がある。図４の実施例では、ばね６６は一端が基部４０と作用し、別の一端がレバー６２と作用するように配置される。この実施例では、ナット６８は、ばね６６を所望の位置に取り付けて停止部材３４を停止位置に押しやるように基部４０に対して配置される。
【００３０】
開示された実施例によって、エレベータローピング作業中の荷重支持部材の制御や、対応する作業中の別の垂直に延在する部材の制御が向上する。
【００３１】
上述した説明は、本質的に限定的なものではなく例示的なものである。開示した実施例に対する変形および変更は、当業者には明らかとなるであろうし、本発明の趣旨から必ずしも逸脱しない。本発明に与えられる法的保護の範囲は、以下の特許請求の範囲を検討することによってのみ決定され得る。
【図１】
2010504898.tif 000003
【図２】
2010504898.tif 000004
【図３】
2010504898.tif 000005
【図４】
2010504898.tif 000006
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
固定位置に取り付けられるように適合された基部（４０）と、
基部（４０）に対して移動可能な速度制御部材（３６）であって、細長い部材（３２）に選択的に接触して、細長い部材（３２）が基部（４０）に対して移動する速度を制御するように構成された速度制御部材（３６）と、
停止位置に押し付けられる停止部材（３４）であって、押し付ける力に打ち勝つように作業者が加える入力がない場合に、停止位置で細長い部材（３２）の基部（４０）に対する移動を防止するように構成された停止部材（３４）と、
押し付ける力に打ち勝って停止位置から外れるように停止部材（３４）を移動させるために作業者によって手動で移動されるように構成されたフットペダルまたはハンドルの一方を含む第１の手動入力部材（７０）と、
速度制御部材の位置を制御するために作業者によって手動で移動されるように構成されたフットペダルまたはハンドルの他方を含む第２の手動入力部材（８４）と、
を備えることを特徴とする、エレベータ装置用の細長い部材（３２）の垂直方向の移動を手動で制御するのに使用される装置（２２）。
【請求項２】
前記装置（２２）は、停止部材（３４）と連係するレバー（６４）であって、停止部材（３４）を停止位置に移動させる方向に押し付けられるレバー（６４）を備えており、
第１の手動入力部材（７０）は、レバー（６４）を反対の方向に選択的に移動させるようにレバー（６４）と連係することを特徴とする請求項１記載の装置。
【請求項３】
前記装置（２２）は停止部材（３４）を停止位置に押し付けるばね（６６）を備えることを特徴とする請求項１記載の装置。
【請求項４】
前記装置（２２）は、基部（４０）に支持された案内部材（５４）であって、細長い部材（３２）を基部（４０）に対して移動するよう案内するように構成された案内部材（５４）を備えており、細長い部材（３２）は、停止部材（３４）が停止位置にあるときに停止部材（３４）と案内部材（５４）との間でロックされることを特徴とする請求項１記載の装置。
【請求項５】
案内部材（５４）はプラスチック材料から成り、停止部材（３４）はブレーキ材料から成ることを特徴とする請求項４記載の装置。
【請求項６】
案内部材（５４）は少なくとも１つのローラを含むことを特徴とする請求項５記載の装置。
【請求項７】
案内部材（５４）または停止部材（３４）の少なくとも一方は、細長い部材（３２）の外面輪郭に対応した輪郭を有することを特徴とする請求項４記載の装置。
【請求項８】
前記装置（２２）は、
速度制御部材（３６）の一側にある第１のハンドルマウント（８６）と、
速度制御部材（３６）の別の一側にある第２のハンドルマウント（８８）と、
を備えており、ハンドル（８４）は、第１のハンドルマウント（８６）または第２のハンドルマウント（８８）の一方に選択的に取り付けられることを特徴とする請求項１記載の装置。
【請求項９】
前記装置（２２）は基部（４０）を固定面に取り付けるように構成された取り付けクランプ（４２）を備えることを特徴とする請求項１記載の装置。
【請求項１０】
取り付けクランプ（４２）と基部（４０）とは協同してエレベータかご（２４）の枠部材（４４）に対する固定位置に基部（４０）を取り付けるように構成されていることを特徴とする請求項９記載の装置。
【請求項１１】
速度制御部材（３６）は、細長い部材（３２）に接触するプラスチックパッドを含むことを特徴とする請求項１記載の装置。
【請求項１２】
細長い部材（３２）はエレベータの荷重支持部材を含むことを特徴とする請求項１記載の装置。
【国際調査報告】
2010504898.tif 000007
2010504898.tif 000008
2010504898.tif 000009